(57)【特許請求の範囲】
【請求項１】
固定可能なコンバータを備えた回転可能なプラグの構造体であって、
その中に形成される複数のスルーホール、一端を開けられた複数のプラグ収容スロットおよび前記複数のプラグ収容スロットの間に形成される複数の開口部、を含む下部ケースと、
前記下部ケースの前記スルーホールに挿入されるより長い端部を含むプラグであって、前記プラグの前記より長い端部が、前記プラグが隠された位置に回転する場合、前記下部ケースの前記プラグ収容スロット内に収容される、プラグと、
前記下部ケース上に配置され、かつその下部表面上に形成される複数のフックロックを含み、一端に形成されるボタン部分および前記ボタン部分の内側に形成されるキャビティを更に備える係止部材と、
前記プラグを締着するためにその下部表面上に形成される複数の型締治具を含み、更に片側から下方へ伸びる傾斜したボードの底に形成されるキャビティを備える固定部材と、
前記係止部材の前記ボタン部分の前記キャビティと前記固定部材の前記傾斜したボードの底の前記キャビティとの間に配設されるばねと、
その上側表面上に形成される複数のフックを含むコンバータであって、前記フックが、前記下部ケースの前記開口部を貫通し、かつ前記係止部材の前記フックロックによって係止される、コンバータと、を備えることを特徴とする構造体。
【請求項２】
前記下部ケースに係合する上部ケース内に形成される円形突出孔を備えることを特徴とする請求項１に記載の構造体。
【請求項３】
前記下部ケースが、その中に形成される少なくとも２つのノッチ部を更に備え、前記ノッチ部が、Ｕ型であり、前記下部ケースが、前記スルーホールの間に形成される溝を更に備え、前記プラグが、前記固定部材の前記型締治具によって締着される矩形の回転軸を更に備えることを特徴とする請求項１に記載の構造体。
【請求項４】
前記係止部材が、前記複数のフックロックの間に形成される凹部分を更に備え、前記係止部材が、その一端に形成されるボタン部分および前記ボタン部分の内側に形成されるキャビティを更に備えることを特徴とする請求項１に記載の構造体。
【請求項５】
前記固定部材が、その端部において反対の位置に形成される２つのスロットを更に備え、前記固定部材が、更に前記固定部材の片側から下方へ伸びる傾斜したボードの底に形成されるキャビティを備えることを特徴とする請求項１に記載のる構造体。
【発明の詳細な説明】
【技術分野】
【０００１】
本発明は、回転可能なプラグに、および、特に固定可能なコンバータを備えた回転可能なプラグに関する。
【背景技術】
【０００２】
消費者エレクトロニクス製品、例えば、ノートブック、パーソナル携帯情報機器（ＰＤＡ）、携帯電話、ＭＰ３プレーヤ、その他が連続的により小さいサイズに向かっており、それは、それによって容易に携帯可能な電力コネクタ、例えば電源、電池充電器またはトランスに対するより高い需要を促進する。したがって、消費者エレクトロニクス製品の電力コネクタは、より小さいサイズおよびより少ない重量で作られて、出荷のためにより便利であることを必要とする。さらに、それらは長期運搬および頻繁な使用を継続するために耐久性がなければならない。消費者エレクトロニクス製品の各々は、それに対して電力を供給するために、電力コネクタ上にまたは製品それ自体上にプラグを必要とし、および、したがって、プラグは必要なユニットである。回転可能なプラグ、折り畳み可能なプラグまたは格納式のプラグのような、いろいろなプラグが、便利に具備されるように、消費者エレクトロニクス製品または電力コネクタに対して最近現れている。
【０００３】
たとえば、従来の電力コネクタは筐体およびプラグを含む。この筐体は、更に筐体の上部端近くに凹形保存閉じ込めを有する。このプラグは、主にその各側面上に柄、２本の第１のピンおよび２本の第２のピンを有するロッドから成る。第１のピンおよび第２のピンは、それぞれ第１のピン、第２のピンおよびロッドの接続をするために柄を挿入するための柄に対応する孔を有する。凹形保存閉じ込めの各側壁は、ばねを収容するばね受け口を有する。ばねの端部は、ばね受け口の側面および固定要素を通して第１のピンの各々内に配設されるキャビティとそれぞれ接触している。このプラグは、ばねの弾性力によって凹形保存閉じ込め内に配置され、かつ第１のピンが第２のピンを駆動して、ロッドを回転させるように調整することによって折りたたまれる。したがって、このプラグは筐体の内側に取り付けられる回路基板に電気的に接続している。
【発明の開示】
【発明が解決しようとする課題】
【０００４】
上記のプラグに類似した多くの従来の折り畳み可能であるか、回転可能であるか、または格納式のプラグは、機械設計における重大な困難を有する。従来の折り畳み可能であるか回転可能な治具は、通常筐体またはプラグコネクタの他の部材のどちらに取り付けるにも弱い機械構造を有する。この弱い取付け構造は、折り畳み可能であるか回転可能なユニットを壊れやすく、信頼性が高くなく、およびユーザーに危険でさえあるようにさせる可能性があり、また、良い電気接点の確立または維持に影響を及ぼす可能性がある。さらに、異なる国家規格に対する従来のコンバータは、通常コンバータ内のスロットを通してプラグと結合する。コンバータとプラグとの間の固定機構がないので、使用中に、コンバータはプラグからしばしば落下し、それによって、プラグの安全性の低下を引き起こす。したがって、耐久性があって安全で、上記の欠点を克服することができるコンバータと協働する回転可能なプラグを提供することに対する要求が、なおある。
【課題を解決するための手段】
【０００５】
従来のプラグを、壊れやすくて、より信頼性が高くなくてユーザーに危険にさえする弱い機械構造のような、かつコンバータとプラグとの間に固定機構がない、従来のプラグの上述した欠陥からみて、本発明は、固定可能なコンバータを備えた回転可能なプラグを開示する。
【０００６】
本発明は、回転可能なプラグに固定可能なコンバータを提供する。本発明の一態様において、固定可能なコンバータを備えた回転可能なプラグが、その中に形成される２つのスルーホール、一端で開口される２つのプラグ収容スロットおよびこのプラグ収容スロットの間に形成される２つの開口部を有する下部ケースと、この下部ケースのスルーホールに挿入されるより長い端部を有するプラグであって、このプラグが隠された位置に回転される場合、このプラグのより長い端部が、下部ケース内のこのプラグ収容スロット内に収容される、プラグと、下部ケース上に配置され、かつその下部表面の上に形成される２つのフックロックを有する係止部材と、このプラグを締着するためにその下部表面上に形成される２つの型締治具を有する固定部材と、その上側表面上に形成される２つのフックを有するコンバータであって、このフックが、この下部ケースの開口部を貫通し、それから、この係止部材のフックロックによって係止される、コンバータと、を含む。この固定可能なコンバータを備えた回転可能なプラグは、下部ケースに係合する上部ケースおよび下部ケースに取り付けられるプリント回路基板（ＰＣＢ）を更に含む。この上部ケースは、その中に形成される円形突出孔を含む。この固定可能なコンバータを備えた回転可能なプラグは、係止部材と固定部材との間に配設されるばねを更に含む。
【０００７】
本発明の１つの利点は、電気デバイスの中に都合よく収容可能な回転可能なプラグである。
本発明の別の利点は、使用中に労力を節約する回転可能なプラグである。
本発明のさらに他の利点は、安全上の必要条件を満たすことができる回転可能なプラグである。
本発明のさらに他の利点は、上部ケースと下部ケースとの間に固定部材を固定するために円形突出孔を利用することによって耐久性があって強くて、かつ長期運搬および頻繁な使用を継続することができる固定可能なコンバータを備えた回転可能なプラグである。
本発明の別の利点は、この固定可能なコンバータを備えた回転可能なプラグが電気プラグを必要とする任意の種類の電気デバイスに適用されることができることである。
本発明のさらに他の利点は、このコンバータが使用中に、コンバータの安定性を増すために回転可能なプラグ内の係止部材を利用して、回転可能なプラグ上に係止されることができることである。
これらの、そしてまた他の、利点は、添付の図面および添付の特許請求の範囲と共になされる好適な実施態様のあとに続く記述から明白になる。
【発明を実施するための最良の形態】
【０００８】
本発明は、次に好適な実施態様および側面とともに記載され、および、これらの記述は、本発明の構造および手順を説明するが、例示するためだけであり、本発明の特許請求の範囲を限定するためではない。したがって、本明細書内の好適な実施態様を除いて、本発明がまた、他の実施態様において広範囲にわたって、使用されることができる。
【０００９】
本発明は、固定可能なコンバータを備えた回転可能なプラグを開示する。図１に示すように、本発明の好ましい実施態様において、固定可能なコンバータを備えた回転可能なプラグ１０は、上部ケース１０１、上部ケース１０１に係合する下部ケース１０２、下部ケース１０２で支えられる回転可能なラック１０３、下部ケース１０２上に配置される係止部材１０４、回転可能なラック１０３および係止部材１０４上に配置される固定部材１０５、固定部材１０５と係止部材１０４との間に配設されるばね１０６、および、回転可能なラック１０３の突出部分を収容し、かつ係止部材１０４によって下部ケース１０２上へ固定されるコンバータ１０７、を含む。固定可能なコンバータを備えた回転可能なプラグ１０は、図１０に示すように、回転可能なラック１０３と電気的に接続する下部ケース１０２上に取り付けられるプリント回路基板（ＰＣＢ）１０８を更に含む。プリント回路基板（ＰＣＢ）１０８は、下部ケース１０２と平行して取り付けられる。プリント回路基板（ＰＣＢ）１０８が、下部ケース１０２に平行にまたは垂直に取り付けられることができることは理解されるべきである。換言すれば、図１および図１０に示すように、回転可能なプラグ１００は上部ケース１０１、下部ケース１０２、回転可能なラック１０３、係止部材１０４、固定部材１０５、ばね１０６、および、プリンタ回路基板（ＰＣＢ）１０８によって構成される。図３Ｂに示すように、２つのスロット１０２１が下部ケース１０２の下部表面内に画成される。スロット１０２１は平行に配置され、かつ回転可能なラック１０３が貫通し、および、その中に収容されるために一端を開けられる。換言すれば、回転可能なラック１０３がスロット１０２１内に収容され、かつ隠される位置に、回転可能なラック１０３は回転されることができる。さらに、上部ケース１０１は、図２に示すように、その中に形成される円形突出孔１０１１を含む。
【００１０】
図３Ａおよび図３Ｂを参照して、本発明の好ましい実施態様において、下部ケース１０２が、ベース１０２２、ベース１０２２を通して形成され、回転可能なラック１０３がそれを通して挿入されるための、２つのスルーホール１０２３、回転可能なラック１０３のより短い端（下記のように）を収容するためにスルーホール１０２３に隣接して形成される２つの受け口１０２４、２つのスルーホール１０２３の間に形成される溝１０２５、それぞれ２つのスルーホール１０２３の２つの側面上に形成される４つのノッチ部１０２６、スロット１０２１と平行の方向に沿ってスロット１０２１の間に形成される２つの開口部１０２７、および、スロット１０２１の間に形成され、かつスロット１０２１の開放端と隣接する開口部１０２８を含む。好ましくは、ノッチ部１０２６の形状はＵ型である。
【００１１】
図４を参照して、本発明の好ましい実施態様において、回転可能なラック１０３が、回転軸１０３１、回転軸１０３１の対向端部上に形成される２つの台座１０３２、それぞれ台座１０３２に固定される２つのプロング１０３３、および、回転軸１０３１の軸に沿って外側上で台座１０３２に固定される２つの円形突出部１０３４を含む。回転軸１０３１は、実質的に角柱である。各台座１０３２は、それを通して回転軸１０３１の軸に垂直に延伸するスロット（図示せず）、および、回転軸１０３１の軸とそれを通して平行して伸びており、かつスロット（図示せず）と連通する開口部（図示せず）を有する。各々のプロング１０３３のより短い端部は、スロット（図示せず）内に収容されて固定され、一方他のより長い端部は外へ延伸して、下部ケース１０２の対応スロット１０２１を貫通する。回転可能なプラグ１００が組立てられる場合、プロング１０３３のより長い端部は下部ケース１０２内の２つのスルーホール１０２３の中に挿入される。さらに、ラック１０３の回転軸１０３１および円形突出部１０３４は、下部ケース１０２内に収容されて、ノッチ部１０２６で支えられる。したがって、回転軸１０３１は回転軸１０３１の軸のまわりに回転することができ、かつ（下記のように）係止部材１０４の凹部分との間で、円滑にすべらせることができ、一方、ラック１０３が回転する場合、円形突出部１０３４は回転軸１０３１とともに回転軸１０３１の軸のまわりに回転することができる。
【００１２】
図５を参照して、本発明の好ましい実施態様において、係止部材１０４が、シャンク１０４１、シャンク１０４１の下部表面の上に形成されて、離れて間隔を置かれる２つのフックロック１０４２、２つのフックロック１０４２の間に、かつシャンク１０４１の上側表面内に形成される凹部分１０４３、シャンク１０４１の一端で形成されるボタン部分１０４４およびボタン部分１０４４の内側内に形成されるキャビティ１０４５を含む。フックロック１０４２は、回転可能なプラグ１００が組立てられる場合、下部ケース１０２の開口部１０２７によって収容されるように、および、固定可能なコンバータ１０７が取り付けられる場合、（下記のように）コンバータ１０７を固定するために、コンバータ１０７のフックを係止するように、形成される。凹部分１０４３は、回転可能なプラグ１００が組立てられる場合、下部ケース１０２の溝１０２５によって収容されるように形成される。溝１０２５の幅は、凹部分１０４３を収容するために凹部分１０４３のそれより大きい。ボタン部分１０４４は、回転可能なプラグ１００がボタンを形成するように組立てられる場合、下部ケース１０２内の開口部１０２８によって収容されるように形成される。キャビティ１０４５は、回転可能なプラグ１００が組立てられる場合、ばね１０６の一端を収容するように形成される。
【００１３】
図６Ａおよび図６Ｂを参照して、本発明の好ましい実施態様において、固定部材１０５が、プレート１０５１、プレート１０５１から下方へ伸びる２つの型締治具１０５２、プレート１０５１の端部において反対の位置に形成され、かつ一端を開けられる２つのスロット１０５３、プレート１０５１の両側から下方へそれぞれ伸びる２つの傾斜したボード１０５４、傾斜したボード１０５４のうちの１つの底部で形成される矩形キャビティ１０５５、および、側壁１０５６を含む。型締治具１０５２は、ラック１０３が所定の位置から離れて回転することを防ぐために回転可能なラック１０３の回転軸１０３１を締着する。回転可能なラック１０３が回転する場合、型締治具１０５２が可撓性であるので、２つの型締治具１０５２の端部分間の距離は回転軸１０３１によって変えられることができる。スロット１０５３は、回転可能なプラグ１００が組立てられる場合、および、回転可能なラック１０３が回転する場合、プロング１０３３のより短い端部を収容するように形成される。矩形キャビティ１０５５は、回転可能なプラグ１００が組立てられる場合、ばね１０６の他端を収容するように形成される。
【００１４】
上記の通りに、ばね１０６の一端が係止部材１０４のキャビティ１０４５によって収容され、および、ばね１０６の他端が固定部材１０５の矩形キャビティ１０５５によって収容され、ばね１０６が係止部材１０４と固定部材１０５との間に配設される。図７を参照して、本発明の一実施態様において、固定可能なコンバータ１０７は、本体１０７１および本体１０７１の上側表面の上に反対の位置に形成される２つのフック１０７２を含む。本体１０７１は、固定可能なコンバータ１０７が取り付けられる場合、回転可能なラック１０３のプロング１０３３を収容するように、その上側表面で平行に形成され、かつ内部へその内端に達する、２つの狭い孔１０７３を含む。フック１０７２は、固定可能なコンバータ１０７が取り付けられる場合、下部ケース１０２上へコンバータ１０７を固定するために、下部ケース１０２の開口部１０２７を貫通し、そして次に、係止部材１０４のフックロック１０４２によって係止されるように形成される。コンバータ１０７は、図７に示されるもの以外の異なる国家規格に対してその他の種類のコンバータとすることができることは理解されるべきである。
【００１５】
図８を参照して、組立てられた回転可能なプラグにおいて、プロング１０３３は、プロング１０３３が下部ケース１０２の下部表面と平行である隠された位置から、回転軸１０３１の軸のまわりに回転することができ、および、プロング１０３３のより長い端部は、対応スロット１０２１内にプロング１０３３が下部ケース１０２の下部表面に垂直である垂直位置に収容され、および、プロング１０３３のより長い端部は下部ケース１０２から露出し、および、逆もまた同じである。プロング１０３３のより短い端部は、第１に固定部材１０５のスロット１０５３を貫通して、次いで下部ケース１０２内の受け口１０２４に入って、その中に収容され、一方プロング１０３３のより長い端部は、プロング１０３３が垂直位置から隠された位置に回転されるにつれて、下部ケース１０２の下部表面内のスロット１０２１に入ってその中に収容される。さらに、回転軸１０３１は実質的に角柱である。したがって、２つの型締治具１０５２は、プロング１０３３を適所に保持するように角柱の２つの対向する平面上に回転軸１０３１を締着し、かつプロング１０３３が垂直位置にある場合、プロング１０３３が垂直位置から離れて回転することを防ぐことができる。プロング１０３３が隠された位置へ回転して戻る場合、回転軸１０３１の端部は係止部材１０４の凹部分１０４３の中にすべり込んで、それを通して通過している。型締治具１０５２の物理的な柔軟性は、垂直位置から隠された位置への回転軸１０３１およびプロング１０３３を回転させることを容易にかつ労力を節減することができる。隠された位置へ回転したあと、回転軸１０３１は、プロング１０３３が下部ケース１０２の下部表面から回転することを防ぐために、角柱の他の２つの対向する平面上に型締治具１０５２によって締着される。同様に、プロング１０３３が垂直位置に回転することになる場合、型締治具１０５２の物理的な柔軟性は、隠された位置から垂直位置まで回転軸１０３１およびプロング１０３３を回転させることを容易で労力を節約するようにする。
【００１６】
さらに、回転軸１０３１および円形突出部１０３４は、固定部材１０５の側壁１０５６と下部ケース１０２のノッチ部１０２６の間にはさまれ、および、図８に示すように、固定部材１０５は上部ケース１０１の円形突出孔１０１１のサポートによって下部ケース１０２上へ固定される。したがって、回転軸線は所定の位置から離れてシフトされず、および、回転可能なプラグ１００の頑丈さが増大されることができる。したがって、本発明の型締治具１０５２および円形突出孔１０１１のサポートを利用する回転可能なプラグ機構は、ばねを利用する従来技術より非常に安定している。さらに、側壁１０５６、ノッチ部１０２６、回転軸１０３１および円形突出部１０３４の接触面は、その間の摩擦を減らすために研磨されることができ、および、それによって、回転可能なラック１０３はより円滑に回転することができる。
【００１７】
図９を参照して、固定可能なコンバータを備えた回転可能なプラグ１０において、係止部材１０４は、第１の位置から第２の位置までばね１０６を通して水平に移動することができる。第１の位置において、ばね１０６は拡張された状態にあり、および、ボタン部分１０４４が開口部１０２８から突出する。コンバータ１０７上のフック１０７２の端部が、下部ケース１０２上へコンバータ１０７を固定するために係止部材１０４のフックロック１０４２内のノッチ部に入る。ボタン部分１０４４が押される場合、ばね１０６は、係止部材１０４が第２の位置へ移動するようにするために、圧縮された状態に変形するように圧力をかけられる。第２の位置において、ばね１０６は圧縮された状態にあり、および、ボタン部分１０４４の外部表面は開口部１０２８に位置する。コンバータ１０７上のフック１０７２の端部は、下部ケース１０２からコンバータ１０７を分離するために、係止部材１０４のフックロック１０４２内のノッチ部から離れる。したがって、係止部材１０４が第２の位置にある場合、コンバータ１０７は、他の種類のコンバータに置換するために、または下部ケース１０２の中に回転可能なプラグ１００のプロング１０３３を隠すために、回転可能なプラグ１００の下部ケース１０２から除去されることができる。さらに、係止部材１０４が第１の位置にある場合、コンバータ１０７が係止されて、下部ケース１０２上へ固定して、回転可能なプラグ１００から落下しないので、ユーザーがより便利に、および、安全に固定可能なコンバータを備えた回転可能なプラグ１０を利用することができるように、回転可能なプラグ１００上に取り付けられたコンバータ１０７の安定性が増大されることができる。したがって、本発明は、係止部材によって固定可能で、取り替えられて、かつ安全な、固定可能なコンバータ１０を備えた回転可能なプラグを提供する。
【００１８】
さらに、回転可能なプラグ１００が回転可能で収容可能であるので、本発明は更に回転可能なプラグ１００が労力を節約して、収容可能でかつ回転可能であり、および、コンバータ１０７が固定可能でかつ取り替えられて、安全上の必要条件を満たす、固定可能なコンバータ１０を備えた回転可能なプラグ１０を提供する。固定可能なコンバータを備えた回転可能なプラグ１０は、電源、電池充電器、トランス、アダプタまたはその他の種類の電気プラグを必要とする電気製品のような任意の種類の電力コネクタに適用されることができる。
【００１９】
図１０を参照して、本発明の回転可能なプラグ１００の組立プロセスにおいて、第１に、下部ケース１０２が、事前に準備される。次いで、係止部材１０４が下部ケース１０２内の溝１０２５に配置され、および、係止部材１０４のボタン部分１０４４が同時に下部ケース１０２の開口部１０２８の中に入れられる。その後、回転可能なラック１０３が下部ケース１０２内の２つのスルーホール１０２３に垂直に挿入され、および、ばね１０６の一端が固定部材１０５の矩形キャビティ１０５５に挿入される。次いで、固定部材１０５が係止部材１０４および回転可能なラック１０３を圧縮するために下部ケース１０２に取り付けられる。その後、プリント回路基板（ＰＣＢ）１０８および上部ケース１０１が、回転可能なプラグ１００を形成するために下部ケース１０２上に順番に取り付けられる。さらに、本発明の回転可能なプラグ１００上にコンバータ１０７を取り付けるプロセスにおいて、第１に、係止部材１０４のボタン部分１０４４が係止部材１０４を第２の位置へ移動するために押される。次いで、プロング１０３３のより長い端部がコンバータ１０７内の狭い孔１０７３の中に挿入され、および、固定可能なコンバータ１０７上のフック１０７２が、同時に下部ケース１０２内の開口部１０２７の中に挿入される。その後、係止部材１０４のボタン部分１０４４が、係止部材１０４を第１の位置へ移動するようにゆるめられ、コンバータ１０７が回転可能なプラグ１００に固定されて固定可能なコンバータを備えた回転可能なプラグ１０を形成する。
【００２０】
上記の記述は、本発明の好ましい実施態様である。この実施態様は、説明の目的のみに、限定以外のために、記載され、および、数多くの改変および変更態様が本発明の趣旨と範囲から逸脱することなく、当業者によって実践されることができることは理解されるべきである。全てのこの種の変更態様および改変は、それらが請求された本発明の有効範囲またはその等価物内にある限り含まれることを意図する。
【図面の簡単な説明】
【００２１】
本発明は、この明細書および下記の添付の図面のいくつかの好適な実施態様および詳細な説明によって理解されることができる。図面内の同一の参照番号は、本発明内の同じ構成要素を指す。しかし、理解されるべきことは、全ての本発明の好ましい実施態様は例示するためにだけあるが、特許請求の範囲の有効範囲を限定するためではないことであり、ここで、
【図１】本発明に従う固定可能なコンバータを備えた回転可能なプラグの図である。
【図２】本発明に従う固定可能なコンバータを備えた回転可能なプラグの上部ケースの図である。
【図３Ａ】本発明に従う固定可能なコンバータを備えた回転可能なプラグの下部ケースの図である。
【図３Ｂ】本発明に従う固定可能なコンバータを備えた回転可能なプラグの下部ケースの図である。
【図４】本発明に従う固定可能なコンバータを備えた回転可能なプラグの回転可能なラックの図である。
【図５】本発明に従う固定可能なコンバータを備えた回転可能なプラグの係止部材の図である。
【図６Ａ】本発明に従う固定可能なコンバータを備えた回転可能なプラグの固定部材の図である。
【図６Ｂ】本発明に従う固定可能なコンバータを備えた回転可能なプラグの固定部材の図である。
【図７】本発明に従う固定可能なコンバータを備えた回転可能なプラグのコンバータの図である。
【図８】本発明に従う固定可能なコンバータを備えた回転可能なプラグの回転機構を例示する。
【図９】本発明に従う固定可能なコンバータを備えた回転可能なプラグのロック機構を例示する。および、
【図１０】本発明に従う固定可能なコンバータを備えた回転可能なプラグの組立プロセスを例示する。
【符号の説明】
【００２２】
１０固定可能なコンバータを備えた回転可能なプラグ
１００回転可能なプラグ
１０１上部ケース
１０２下部ケース
１０３回転可能なラック
１０４係止部材
１０５固定部材
１０６ばね
１０７コンバータ
１０８プリント回路基板（ＰＣＢ）
１０１１円形突出孔
１０２１スロット
１０２２ベース
１０２３スルーホール
１０２４受け口
１０２５溝
１０２６ノッチ部
１０２７開口部
１０２８開口部
１０３１回転軸
１０３２台座
１０３３プロング
１０３４円形突出部
１０４１シャンク
１０４２フックロック
１０４３凹部分
１０４４ボタン部分
１０４５キャビティ
１０５１プレート
１０５２型締治具
１０５３スロット
１０５４傾斜したボード
１０５５矩形キャビティ
１０５６側壁
１０７１本体
１０７２フック
１０７３狭い孔
【図１】
0004690384.tif 000002
【図２】
0004690384.tif 000003
【図３Ａ】
0004690384.tif 000004
【図３Ｂ】
0004690384.tif 000005
【図４】
0004690384.tif 000006
【図５】
0004690384.tif 000007
【図６Ａ】
0004690384.tif 000008
【図６Ｂ】
0004690384.tif 000009
【図７】
0004690384.tif 000010
【図８】
0004690384.tif 000011
【図９】
0004690384.tif 000012
【図１０】
0004690384.tif 000013